【手続補正書】
【提出日】令和1年7月15日(2019.7.15)
【手続補正１】
【補正対象書類名】特許請求の範囲
【補正対象項目名】全文
【補正方法】変更
【補正の内容】
【特許請求の範囲】
【請求項１】
車室内に配置されて同乗者の視線を遮る仕切部材（１１、１１ａ）と、
車室内の光景を撮影する室内用撮影部（１２Ｌ１、１２Ｒ１）と、を備え、
前記仕切部材は、前記室内用撮影部にて撮影された画像が投影されるものである車室内区画システム。
【請求項２】
車室外の光景を撮影する室外用撮影部（１２Ｌ、１２Ｒ、１２Ｆ）を備え、
前記仕切部材は、前記室外用撮影部にて撮影された画像が投影されるものである請求項１に記載の車室内区画システム。
【請求項３】
車室内に配置されて同乗者の視線を遮る仕切部材（１１、１１ａ）と、
車室外の光景を撮影する室外用撮影部（１２Ｌ、１２Ｒ、１２Ｆ）と、を備え、
前記仕切部材は、前記室外用撮影部にて撮影された画像が投影されるものであり、
前記室外用撮影部は、前記仕切部材に仕切られた空間に着座している乗員が前記仕切部材を見たときの視線の方向の前記光景を撮影するものである車室内区画システム。
【請求項４】
車室内の光景を撮影する室内用撮影部（１２Ｌ１、１２Ｒ１）を備え、
前記仕切部材は、前記室内用撮影部にて撮影された画像が投影されるものである請求項３に記載の車室内区画システム。
【請求項５】
前記仕切部材は、最前席と後部座席とを仕切るように配置されている請求項３または４に記載の車室内区画システム。
【請求項６】
前記仕切部材に仕切られた空間に乗車している乗員を特定する個人特定部（２０ａ）を備え、
前記仕切部材は、前記個人特定部にて特定された前記乗員に応じた画像が投影されるものである請求項１ないし５のいずれか１つに記載の車室内区画システム。
【請求項７】
前記仕切部材には、前記仕切部材にて仕切られた空間同士を連通させる連通部（１１ｂ）が形成されている請求項１ないし６のいずれか１つに記載の車室内区画システム。
【請求項８】
さらに、前記連通部を介して、前記仕切部材にて仕切られた一方の空間の空気を他方の空間へ流入させる送風部（１４）を備える請求項７の車室内区画システム。
【請求項９】
さらに、前記連通部を開閉する開閉部（１１ｄ）を備える請求項７または８に記載の車室内区画システム。
【請求項１０】
温度調整された空調風を、前記仕切部材に仕切られた空間へ導くダクト（１５）と、
前記ダクトから吹き出される前記空調風の吹出方向を変化させる風向変更部（１５ａ）と、を備える請求項１ないし９のいずれか１つに記載の車室内区画システム。
【請求項１１】
前記仕切部材は、変形可能な材質で形成されており、
前記風向変更部は、前記ダクトから吹き出される前記空調風が前記仕切部材に吹き付けられてしまうことを回避するように、前記吹出方向を変化させるものである請求項１０に記載の車室内区画システム。
【請求項１２】
前記仕切部材は、前記空調風が吹き付けられても変形不能な材質で形成されており、
前記風向変更部は、前記ダクトから吹き出される前記空調風が前記仕切部材に吹き付けられるように前記吹出方向を変化させるものである請求項１０に記載の車室内区画システム。
【請求項１３】
車室内に配置されて同乗者の視線を遮る仕切部材（１１、１１ａ）と、
温度調整された空調風を、前記仕切部材に仕切られた空間へ導くダクト（１５）と、
前記ダクトから吹き出される前記空調風の吹出方向を変化させる風向変更部（１５ａ）と、を備え、
前記仕切部材は、変形可能な材質で形成されており、
前記風向変更部は、前記ダクトから吹き出される前記空調風が前記仕切部材に吹き付けられてしまうことを回避するように、前記吹出方向を変化させるものである車室内区画システム。
【請求項１４】
車室内に配置されて同乗者の視線を遮る仕切部材（１１、１１ａ）と、
温度調整された空調風を、前記仕切部材に仕切られた空間へ導くダクト（１５）と、
前記ダクトから吹き出される前記空調風の吹出方向を変化させる風向変更部（１５ａ）と、を備え、
前記仕切部材は、前記空調風が吹き付けられても変形不能な材質で形成されており、
前記風向変更部は、前記ダクトから吹き出される前記空調風が前記仕切部材に吹き付けられるように前記吹出方向を変化させるものである車室内区画システム。
【請求項１５】
前記仕切部材は、前記仕切部材にて仕切られた少なくとも一方の空間内の空気の温度を調整する温度調整部（１６）を有している請求項１ないし１４のいずれか１つに記載の車室内区画システム。
【手続補正２】
【補正対象書類名】明細書
【補正対象項目名】０００７
【補正方法】変更
【補正の内容】
【０００７】
上記目的を達成するため、請求項１に記載の発明は、車室内に配置されて同乗者の視線を遮る仕切部材（１１、１１ａ）と、車室内の光景を撮影する室内用撮影部（１２Ｌ１、１２Ｒ１）と、を備え、仕切部材は、室内用撮影部にて撮影された画像が投影されるものである車室内区画システムである。
また、請求項３に記載の発明は、車室内に配置されて同乗者の視線を遮る仕切部材（１１、１１ａ）と、車室外の光景を撮影する室外用撮影部（１２Ｌ、１２Ｒ、１２Ｆ）と、を備え、仕切部材は、室外用撮影部にて撮影された画像が投影されるものであり、室外用撮影部は、仕切部材に仕切られた空間に着座している乗員が仕切部材を見たときの視線の方向の前記光景を撮影するものである車室内区画システムである。
【手続補正３】
【補正対象書類名】明細書
【補正対象項目名】０００９
【補正方法】変更
【補正の内容】
【０００９】
さらに、乗員が仕切部材（１１、１１ａ）に投影された光景を見ることができ、あたかも隣りの席に他人がいないと感じさせることができる。従って、車室内により一層快適なプライベート空間を形成することができる。
【手続補正４】
【補正対象書類名】明細書
【補正対象項目名】００１０
【補正方法】変更
【補正の内容】
【００１０】
また、仕切部材に仕切られた空間に乗車している乗員を特定する個人特定部（２０ａ）を備え、個人特定部（２０ａ）にて特定された乗員の嗜好等に応じた画像を仕切部材（１１、１１ａ）に投影してもよい。これによれば、乗員の好みに応じた情報が映し出されるので、乗員が隣りの席の他人の存在を意識しにくくなる。従って、車室内により一層快適なプライベート空間を形成することができる。
また、請求項１３に記載の発明は、車室内に配置されて同乗者の視線を遮る仕切部材（１１、１１ａ）と、温度調整された空調風を、仕切部材に仕切られた空間へ導くダクト（１５）と、ダクトから吹き出される空調風の吹出方向を変化させる風向変更部（１５ａ）と、を備え、仕切部材は、変形可能な材質で形成されており、風向変更部は、ダクトから吹き出される空調風が仕切部材に吹き付けられてしまうことを回避するように、吹出方向を変化させるものである車室内区画システムである。これによれば、請求項１に記載の発明と同様に、車室内に快適なプライベート空間を確保することができる。
また、請求項１４に記載の発明は、車室内に配置されて同乗者の視線を遮る仕切部材（１１、１１ａ）と、温度調整された空調風を、仕切部材に仕切られた空間へ導くダクト（１５）と、ダクトから吹き出される空調風の吹出方向を変化させる風向変更部（１５ａ）と、を備え、仕切部材は、空調風が吹き付けられても変形不能な材質で形成されており、風向変更部は、ダクトから吹き出される空調風が仕切部材に吹き付けられるように吹出方向を変化させるものである車室内区画システムである。これによれば、請求項１に記載の発明と同様に、車室内に快適なプライベート空間を確保することができる。